(57)【特許請求の範囲】
【請求項１】
外観の一部を構成する略円筒状の外装を有する電子ドラムの外装構造であって、
前記外装は、円周方向において複数に分割した部品を組み付けて構成され、
複数の前記部品には、機能部を着脱可能に配設するための配設部を備えた部品が含まれることを特徴とする電子ドラムの外装構造。
【請求項２】
外観の一部を構成する略円筒状の外装を有する電子ドラムの外装構造であって、
前記外装は、円周方向において複数に分割した部品を組み付けて構成され、
前記外装には、シェル型外装とフープ型外装とが含まれ、
前記シェル型外装及び前記フープ型外装は、円周方向において対応して配置されるよう、それぞれ同数に分割したシェル用部品及びフープ用部品からなることを特徴とする電子ドラムの外装構造。
【請求項３】
複数の前記部品には、２つ以上の同一形状の部品が含まれることを特徴とする請求項１または２記載の電子ドラムの外装構造。
【請求項４】
複数の前記部品は、共通の連結用部材に対して固定されることを特徴とする請求項１〜３のいずれか１項に記載の電子ドラムの外装構造。
【発明の詳細な説明】
【技術分野】
【０００１】
本発明は、略円筒状の外装を有する電子ドラムの外装構造に関する。
【背景技術】
【０００２】
従来、アコースティックの例えばバスドラムにおいては、シェルやフープ等が主な外観を構成し、これらがドラムの外装となっている。打撃されるヘッドは通常、膜を張ることで構成される。膜を適切に張るため、あるいはヘッドの打撃音を良好なものにするために、シェルは強固で一体的な構造とされる。
【０００３】
一方、電子ドラムにおいても、外観をアコースティックドラムに似せる等の理由から、外装をシェルやフープ（リム）に相当する形状に構成することが行われている（下記特許文献１）。
【先行技術文献】
【特許文献】
【０００４】
【特許文献１】特開２００９−１５１１７８号公報
【発明の概要】
【発明が解決しようとする課題】
【０００５】
しかしながら、電子ドラムにおいては、外装の外側だけでなく内側に電気部品や吸音材をはじめとした各種の機能部が配設される。特に、外装の内側に配設する内装部品については、製造時に配設作業がしづらく、内装部品に故障が生じた場合にメンテナンスを行うのも容易でない。また、外装が一体構成であるので、外観を変えたり、外装の備わる機能を事後的に変えたりすることは容易でない。しかも外装をアコースティックドラムに似せて大型に構成した場合、製造設備も大型化する。また、円筒形状のシェルを樹脂で金型により成形して製造する場合、成形性を確保するためシェルに抜き勾配を設ける必要があり、シェルをきれいな円筒形状にするのは困難である。
【０００６】
本発明は上記従来技術の問題を解決するためになされたものであり、その目的は、製造やメンテナンスを容易にすると共に、外観や機能の事後的変更を行いやすくすることができる電子ドラムの外装構造を提供することにある。
【課題を解決するための手段】
【０００７】
上記目的を達成するために本発明の請求項１の電子ドラムの外装構造は、外観の一部を構成する略円筒状の外装を有する電子ドラムの外装構造であって、前記外装は、円周方向において複数に分割した部品を組み付けて構成され、複数の前記部品には、機能部を着脱可能に配設するための配設部を備えた部品が含まれることを特徴とする。
【０００８】
なお、上記括弧内の符号は例示である。
【発明の効果】
【０００９】
本発明の請求項１によれば、製造やメンテナンスを容易にすると共に、外観や機能の事後的変更を行いやすくすることができる。また、事後的に機能の変更を行いやすい。
本発明の請求項２によれば、製造やメンテナンスを容易にすると共に、外観や機能の事後的変更を行いやすくすることができる。また、位置が対応しているシェル用部品とフープ用部品とを外すことで所望の方向からメンテナンスを行いやすい。
【００１０】
請求項３によれば、製造設備を簡素で且つ小型化でき、製造コストも削減することができる。請求項４によれば、部品間の組み付け精度を高めると共に、組み付けを容易にすることができる。
【図面の簡単な説明】
【００１１】
【図１】本発明の一実施の形態に係る外装構造が適用される電子ドラムの縦断面図である。
【図２】電子ドラムの主要部の分解図（図（ａ））、フープ部品の１つを示す斜視図（図（ｂ））、筐体部品の１つを示す斜視図（図（ｃ））である。
【図３】変形例の外装構造が適用される電子ドラムの縦断面図である。
【図４】筐体の分割態様の変形例を示す模式図である。
【発明を実施するための形態】
【００１２】
以下、本発明の実施の形態を図面を参照して説明する。
【００１３】
図１は、本発明の一実施の形態に係る外装構造が適用される電子ドラムの縦断面図である。この電子ドラム１０は電子バスドラム（キックドラム）として構成される。電子ドラム１０のドラム本体は、フープ１３、連結用部材１６、ヘッド１１、筐体１２、緩衝材１４等を組み付けてなる。
【００１４】
図２（ａ）は、電子ドラム１０の主要部の分解図である。図２（ｂ）は、フープ１３の一部を構成するフープ部品の１つを示す斜視図である。図２（ｃ）は、筐体１２の一部を構成する筐体部品の１つを示す斜視図である。
【００１５】
電子ドラム１０は、ドラム本体がスタンド２０で支持されてなる（図１）。以下、電子ドラム１０の前後方向については奏者側（図１の左側）を前側とする。電子ドラム１０の奏者側には、不図示のフットペダル装置が取り付けられ、ペダル操作によってそのビータがヘッド１１の打撃面１１ａを打撃する。
【００１６】
ヘッド１１は、ゴム、シリコンまたはウレタン等の弾性を有する部材で一体に形成され、奏者側の面である表面が打撃面１１ａとなる。フープ１３、筐体１２は樹脂等で構成される。緩衝材１４はクッション性を有する材料で構成される。連結用部材１６は硬質樹脂等の樹脂、金属または木材等で構成される。
【００１７】
筐体１２及びフープ１３が協働して、電子ドラム１０の主な外観を構成する略円筒状の外装となる。すなわち、筐体１２は、アコースティックバスドラムにおけるシェルに相当する円筒形状をしたシェル型外装部材である。フープ１３は、筐体１２の一部を外周側から覆うことができる環状形状に形成されたフープ型外装である。ヘッド１１は、平面視で円形状に形成される。連結用部材１６は環状に形成される。フープ１３、連結用部材１６及びヘッド１１は、それぞれの半径方向中心を筐体１２の筒状形状の軸心Ｃ０に一致させて、同心に組み付けられる。
【００１８】
筐体１２、フープ１３はそれぞれ、軸心Ｃ０を中心とする円周方向において複数（例えば、６つ）に分割した部品を組み付けて構成される。まず、筐体１２は筐体部品１２Ａ〜１２Ｆという６つの構成要素からなる。図２（ｃ）には筐体部品１２Ａが示される。筐体部品１２Ａ〜１２Ｆの互いの基本形状は正面視円弧状で共通であるが、果たす機能の違い（例えば、取り付けられる電気部品等の違い）によって、取り付け部等の形状等が異なってもよい。例えば、下側の筐体部品１２Ｄには、スタンド２０と干渉しないための逃げ部が形成される。筐体部品１２Ａ〜１２Ｆのうち同一形状となるものがあってもよい。また、筐体１２は円周方向に等間隔で分割されるが、等間隔であることは必須でない。
【００１９】
フープ１３は、フープ部品１３Ａ〜１３Ｆという６つの構成要素からなる。図２（ｂ）にはフープ部品１３Ａが示される。フープ１３の円周方向における分割の態様は筐体１２と同様で、筐体１２と同数に分割される。従って、筐体部品１２Ａ〜１２Ｆとフープ部品１３Ａ〜１３Ｆとは円周方向において分割位置が一致し、対応して配置される。しかし、両者の分割位置が一致していることは必須でない。
【００２０】
筐体部品１２Ａ〜１２Ｆと同様に、フープ部品１３Ａ〜１３Ｆについても、互いの基本形状は同じで、一部分の形状が異なっていてもよい。フープ部品１３Ｄにはスタンド２０と干渉しないための逃げ部が形成される。フープ部品１３Ａ〜１３Ｆのうち同一形状となるものがあってもよい。
【００２１】
筐体１２の筒方向（軸心Ｃ０の軸線方向）における奏者側の開口部である前端部１２ａにおいて、筐体部品１２Ａ〜１２Ｆの各々には、ネジ穴１２ｂが例えば２つ形成されている。フープ部品１３Ａ〜１３Ｆの各々には、ネジ穴１２ｂに対応して、貫通した締結穴１３ｂが例えば２つ形成されている。連結用部材１６には、ネジ穴１２ｂ、締結穴１３ｂに対応して、貫通した締結穴１６ｂが例えば１２個形成されている（図２（ａ））。連結用部材１６は、ヘッド１１の打撃面１１ａを露出させる窓１６ａを有する。
【００２２】
図１で、電子ドラム１０につき、ドラム本体がスタンド２０に支持される構造の一例を説明するが、支持構造はこれに限定されるものではない。スタンド２０は、金属等で構成され、取り付け部２１、２２、２３を有する。取り付け部２１、２２、２３はいずれも軸心Ｃ０に垂直な板状部であり、取り付け部２２、２３はそれぞれ、前側から見て環状である。
【００２３】
取り付け部２１の前面に、緩衝材１４が固着され、取り付け部２１と緩衝材１４との間に、ピエゾ素子等でなる打撃センサ１５が配設される。なお、緩衝材１４を複数の層で構成し、打撃センサ１５を緩衝材１４の層の間に配設してもよい。打撃センサ１５は、振動を検出できればよく、その構成は問わない。
【００２４】
取り付け部２２の前面にヘッド１１が固着される。ヘッド１１及び緩衝材１４がスタンド２０に固定され且つ、非打撃状態において、緩衝材１４の前面が、ヘッド１１の裏面から僅かな圧縮力を受けるように構成されている。なお、緩衝材１４の前面とヘッド１１の裏面とは僅かに離間した状態としてもよい。取り付け部２３の前面に連結用部材１６が固着される。取り付け部２２、２３における固着態様は接着でもよいが螺着でもよい。連結用部材１６はスタンド２０に対して固定されればよく、固定の態様は問わない。
【００２５】
筐体部品１２Ａ〜１２Ｆ及びフープ部品１３Ａ〜１３Ｆは、共通の連結用部材１６に対して組み付けられることで、それぞれ筐体１２及びフープ１３として構成される。まず、連結用部材１６の締結穴１６ｂに対して、筐体部品１２Ａ〜１２Ｆのネジ穴１２ｂとフープ部品１３Ａ〜１３Ｆの締結穴１３ｂとの位置を合わせる。その状態で、前方からネジ１７を、１２箇所において締結穴１３ｂ及び締結穴１６ｂを介してネジ穴１２ｂに螺合することにより、筐体１２、連結用部材１６及びフープ１３を共締めする。これにより、連結用部材１６の締結穴１６ｂを基準として、円周方向における筐体部品１２Ａ〜１２Ｆ、フープ部品１３Ａ〜１３Ｆの位置決めがなされた状態でそれらが組み付けられ、円筒状となった筐体１２と環状となったフープ１３とが連結用部材１６に固定された状態となる。
【００２６】
なお、筐体部品１２Ａ〜１２Ｆ、フープ部品１３Ａ〜１３Ｆの連結用部材１６に対する組み付けは、１つずつ行うことができ、作業は容易である。また、外装の内側に配置されるべき構成要素については、予め配設してもよいが、未配設のまま筐体部品１２Ａ〜１２Ｆ、フープ部品１３Ａ〜１３Ｆを連結用部材１６に固定することも可能である。また、連結用部材１６に一旦固定した筐体部品１２Ａ〜１２Ｆ、フープ部品１３Ａ〜１３Ｆを取り外すことは可能であり、製品納品後に行うことも可能である。
【００２７】
かかる構成において、ヘッド１１の打撃面１１ａがビータによって打撃されるとヘッド１１が振動し、その振動が、緩衝材１４を介して打撃センサ１５に伝わる。打撃センサ１５は、受けた振動を電気信号（電圧）に変換して、検出信号として出力する。そして、検出信号が所定の閾値を超えると、打撃があったことが検出される。その検出結果、すなわち、検出されたタイミングに基づくタイミングで、且つ検出信号のレベルに応じた音量にて、不図示の楽音発生機構によって楽音が発生する。
【００２８】
本実施の形態によれば、電子ドラム１０の外観の一部を構成する略円筒状の外装（筐体１２及びフープ１３）が、円周方向において複数に分割した部品（筐体部品１２Ａ〜１２Ｆ、フープ部品１３Ａ〜１３Ｆ）を組み付けて構成される。これにより、製造時に内装部品の配設作業等が行いやすい。また、筐体部品、フープ部品は、事後的に着脱可能であるので、内装部品等に故障が生じた場合にメンテナンスを行うのが容易であり、筐体部品、フープ部品を交換すれば、外観を変えたり、外装の備わる機能を事後的に変えたりすることも可能になる。
【００２９】
よって、製造やメンテナンスを容易にすると共に、外観や機能の事後的変更を行いやすくすることができる。
【００３０】
また、筐体１２及びフープ１３をそれぞれ一体に形成する場合に比し、１つ１つの筐体部品、フープ部品は小さいので、製造設備の大型化も回避できる。さらに、筐体部品を樹脂で金型により成形して製造する場合でも、成形性を確保するために設けられる大きな抜き勾配が不要となり、筐体１２をきれいな円筒形状にするのが容易となる。
【００３１】
また、筐体部品１２Ａ〜１２Ｆ及びフープ部品１３Ａ〜１３Ｆが共通の連結用部材１６に対して固定されるので、部品間の組み付け精度を高めると共に、組み付けを容易にすることができる。また、筐体部品１２Ａ〜１２Ｆのうち、２つ以上を同一形状とすれば、部品の共通化により製造設備を簡素で且つ小型化でき、製造コストも削減することができる。
【００３２】
また、筐体１２及びフープ１３はそれぞれ同数に分割され、筐体部品１２Ａ〜１２Ｆとフープ部品１３Ａ〜１３Ｆとは円周方向において対応して配置されるので、位置が対応している筐体部品１２Ａ〜１２Ｆとフープ部品１３Ａ〜１３Ｆとを組として取り外すことで所望の方向からメンテナンスを行いやすい。
【００３３】
本実施の形態では、筐体部品１２Ａ〜１２Ｆ及びフープ部品１３Ａ〜１３Ｆが連結用部材１６に対して固定されることでそれぞれ一体の筐体１２及びフープ１３として構成された。しかし、円周方向において複数に分割した部品を組み付けて外装が構成されればよく、固定の態様は問わない。図３に変形例を示すように筐体１２とフープ１３とを直接に固定してもよい。
【００３４】
図３は、変形例の外装構造が適用される電子ドラム１０の縦断面図である。この電子ドラム１０は、連結用部材１６を有しない。筐体部品１２Ａ〜１２Ｆのネジ穴１２ｂとフープ部品１３Ａ〜１３Ｆの締結穴１３ｂとの位置を合わせた状態で、前方からネジ１７を、１２箇所において締結穴１３ｂを介してネジ穴１２ｂ（図２（ｃ）参照）に螺合することにより、筐体１２及びフープ１３がそれぞれ一体となる。
【００３５】
スタンド２０は、取り付け部２４を有する。取り付け部２４は、軸心Ｃ０を中心とする欠円状または円弧状の肉部である。すなわち取り付け部２４は、軸心Ｃ０を中心とする仮想円筒のうち、円周方向における連続的または断続的な肉部に相当する部分である。取り付け部２４の外周面に、筐体１２の内周面が固着される。図示はしないが、筐体部品１２Ａ〜１２Ｆの各々には、軸心Ｃ０に直交する２つのネジ穴が形成され、ネジ穴に対応して、取り付け部２４には円周方向における１２箇所に、軸心Ｃ０に直交する締結穴が形成される。そして、例えば内側から、締結穴を介して筐体部品１２Ａ〜１２Ｆの各々のネジ穴に対してネジ１８を螺合することで、取り付け部２４に筐体部品１２Ａ〜１２Ｆを固着する。これにより筐体１２が一体となる。筐体１２へのフープ１３の固定と、取り付け部２４への筐体１２の固定との順序は問わない。なお、取り付け部２４の内周面に骨組み部材を固定してもよい。その場合、骨組み部材は、例えば半円相当の形状に構成された一対が設けられ、各々、スタンド２０の根元に固定されると共に、取り付け部２４を介して筐体１２に対してネジで固定される。あるいは、取り付け部２４自体に骨組みに相当する部分を形成してもよい。
【００３６】
このような構成においても、製造やメンテナンスを容易にすると共に、外観や機能の事後的変更を行いやすくするという効果は得られる。
【００３７】
図４に、筐体１２の分割態様の変形例を示す。筐体１２の分割数は２つ以上であればよく、図４に示すように奇数の７つであってもよい。この例ではさらに、筐体部品１２Ａ〜１２Ｇのうち、機能部を着脱可能に配設するための配設部を備えた部品が含まれるようにしている。例えば、筐体部品１２Ｂ、１２Ｆ、１２Ｅには、それぞれ配設部３１、３２、３７が形成される。機能部として、配設部３１、３２、３７にはそれぞれ、表示部３３、操作部３４、電子回路部３８等が配設可能である。電子回路部３８には、音源回路、入出力部等が含まれる。
【００３８】
また、例えば、配設部３１に配設される機能部と配設部３２に配設される機能部とを事後的に交換することも可能である。あるいは、配設部３１、３２に配設される機能部を他の機能部に交換できるようにすれば、事後的に機能の変更を行いやすい。
【００３９】
また、筐体部品１２Ｃ、１２Ｅには、脚部３５が形成されるかまたは取り付け可能になっている。筐体部品１２Ｄには、滑り座等の台座３６が形成されるかまたは取り付け可能になっている。機能部としては、例示したものに限定されず、電源、スピーカ、ケーブル接続部等も含まれ得る。
【００４０】
また、筐体部品１２Ａ、１２Ｇは、同一形状となっている。なお、筐体部品１２Ｂ、１２Ｆの配設部３１、３２を同一形状とし、表示部３３、操作部３４のいずれかを選択的に配設可能に構成すれば、筐体部品１２Ｂ、１２Ｆを同一形状としながらも、異なる機能を備える筐体部品を実現できる。なお、各筐体部品の色を異ならせてもよく、外観のバリエーションを多くしたり、事後的に外観を変えたりするのが容易となる。なお、図４に示した構成は、フープ１３にも適用可能である。
【００４１】
なお、本発明における外観の一部を構成する略円筒状の外装としては、フープ１３と筐体１２とが一体となったものも含まれる。その場合、分割された部品は、例えば、筐体部品１２Ａとフープ部品１３Ａとが一体に形成された部品となる。また、分割構成とする外装は、フープ１３または筐体１２のいずれかのみとしてもよい。なお、筐体１２の後部に裏蓋を固定する場合は、当該裏蓋も、分割構成とする外装に含めてもよい。
【００４２】
なお、隣接することになる筐体部品同士、フープ部品同士を互いに連結可能に構成してもよい。その場合、物理的に連結する締結部を設けるだけでなく、連結される部分に電気的な接続端子を設け、物理的に連結されると信号線が電気的に接続されるように構成してもよい。
【００４３】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４４】
１０  電子ドラム、  １１  ヘッド、  １２  筐体、  １３  フープ、  １２Ａ〜１２Ｅ  筐体部品（シェル用部品）、  １３Ａ〜１３Ｆ  フープ部品（フープ用部品）、  １６  連結用部材、  ３１、３２、３７  配設部
【図１】
0006540036.tif 000002
【図２】
0006540036.tif 000003
【図３】
0006540036.tif 000004
【図４】
0006540036.tif 000005